(57)【要約】【課題】ボトル本体の底面の変形を抑制すると共に、生産性の更なる向上を可能としたプラスチックボトルを提供する。【解決手段】ブロー成形によりボトル本体２が成形されてなるプラスチックボトルであって、ボトル本体２が、底面３ａの中央部を底上げした底上げ部８と、底上げ部８の周囲を囲む脚部９と、底上げ部８から当該ボトル本体２の内側に向かって隆起してなるリブ部１０とを有し、リブ部１０が、ボトル本体２のパーティングラインＰＬに対して直交する方向に延長されて脚部９に至ると共に、その延長方向と直交する方向に複数並んで設けられている。【選択図】図２
2010247849.tif 000002
【特許請求の範囲】
【請求項１】
ブロー成形によりボトル本体が成形されてなるプラスチックボトルであって、
前記ボトル本体は、底面の中央部を底上げした底上げ部と、前記底上げ部の周囲を囲む脚部と、前記底上げ部から当該ボトル本体の内側に向かって隆起してなるリブ部とを有し、
前記リブ部は、前記ボトル本体のパーティングラインに対して直交する方向に延長されて前記脚部に至ると共に、その延長方向と直交する方向に複数並んで設けられていることを特徴とするプラスチックボトル。
【請求項２】
前記底上げ部は、前記リブ部の間で平坦面を形成していることを特徴とする請求項１に記載のプラスチックボトル。
【請求項３】
前記リブ部は、前記パーティングラインから前記脚部に向かって漸次幅が大きくなる形状を有していることを特徴とする請求項１又は２に記載のプラスチックボトル。
【発明の詳細な説明】
【技術分野】
【０００１】
本発明は、プラスチックボトルの改良に関する。
【背景技術】
【０００２】
プラスチックボトルは、例えば、シャンプーやリンス、ボディーソープ、台所洗剤、液体衣料洗剤、柔軟剤などの液体製品を収容するボトル容器として利用されており、日用雑貨製品や飲料向け、食品向けなどの液体製品に広く用いられている。
【０００３】
プラスチックボトルは、一般に合成樹脂材料をブロー成形することによりボトル本体が成形され、このボトル本体にキャップを被せたものからなる。具体的に、このプラスチックボトルのボトル本体の製造には、パリソンと呼ばれる筒状の成形材料を溶融状態とし、金型に入れ、内部に空気を吹き込んで膨らませると同時に冷却して成形する方法が用いられる。
【０００４】
ところで、内容量の大きなプラスチックボトル（例えば内容量が２〜６Ｌ）は、ボトル本体の横断面形状がオーバル状のものが多く、また、ハンドリングの点から取手が必要となるため、ダイレクトブロー成形によって製造されるのが一般的である。
【０００５】
しかしながら、上述した大容量のプラスチックボトルでは、その内容液の自重によりボトル本体の底面に変形（膨らみ）が生じると、店頭などに陳列した際に、正立安定性が低下したり、外観の見映えが悪くなったりするため、それらを防ぐ必要がある。
【０００６】
従来のプラスチックボトルでは、上述したボトル本体の底面の変形を防ぐために、樹脂量を増やしボトル本体を肉厚に形成したり、樹脂材料に高剛性なものを使用したりして、ボトル本体の剛性を高めて底面の変形を防ぐことが行われている。しかしながら、このような対策では、生産コストの増加を招くことになる。
【０００７】
一方、従来のプラスチックボトルでは、その正立安定性を良くするため、ボトル本体の底面の中央部を底上げしたり、さらに、この底上げ部分に複数のリブを設けたりすることによって、ボトル本体の底面の剛性を確保することが行われている（例えば、特許文献１，２を参照。）。
【０００８】
しかしながら、このようなボトル本体の底面形状が複雑になるに従って、ブロー成形後にパーティングラインに沿って分割される金型からボトル本体を取り出す際に、このボトル本体の離型性が悪くなるといった新たな問題が生じることになる。特に、ボトル本体の底面における底上げ寸法を大きく設計しようとすると、そのような傾向がより顕著なものとなる。一方、このような問題に対応するため、金型の構造を複雑なものとすると、生産コストの上昇を招くことになる。
【先行技術文献】
【特許文献】
【０００９】
【特許文献１】特開平１−９９９４９号公報
【特許文献２】特開平６−２４７４３３号公報
【発明の概要】
【発明が解決しようとする課題】
【００１０】
本発明は、このような従来の事情に鑑みて提案されたものであり、ボトル本体を肉厚に形成したり、剛性の高い高価な樹脂材料を用いたりすることなく、ボトル本体の底面の変形を抑制すると共に、ブロー成形後にパーティングラインに沿って分割される金型からのボトル本体の離型性を良くすることによって、生産性の更なる向上を可能としたプラスチックボトルを提供することを目的とする。
【課題を解決するための手段】
【００１１】
この目的を達成するために、請求項１に係る発明は、ブロー成形によりボトル本体が成形されてなるプラスチックボトルであって、ボトル本体が、底面の中央部を底上げした底上げ部と、底上げ部の周囲を囲む脚部と、底上げ部から当該ボトル本体の内側に向かって隆起してなるリブ部とを有し、リブ部が、ボトル本体のパーティングラインに対して直交する方向に延長されて脚部に至ると共に、その延長方向と直交する方向に複数並んで設けられていることを特徴とするプラスチックボトルである。
【００１２】
また、請求項２に係る発明は、底上げ部が、リブ部の間で平坦面を形成していることを特徴とする請求項１に記載のプラスチックボトルである。
【００１３】
また、請求項３に係る発明は、リブ部が、パーティングラインから脚部に向かって漸次幅が大きくなる形状を有していることを特徴とする請求項１又は２に記載のプラスチックボトルである。
【発明の効果】
【００１４】
以上のように、本発明に係るプラスチックボトルでは、ボトル本体の底上げ部からボトル本体の内側に向かって隆起してなるリブ部が、ボトル本体のパーティングラインに対して直交する方向に延長されて脚部に至ると共に、その延長方向と直交する方向に複数並んで設けられていることによって、ボトル本体を肉厚に形成したり、剛性の高い高価な樹脂材料を用いたりすることなく、ボトル本体の底面の剛性を十分に確保しながら、ボトル本体の底面の変形を抑制することが可能である。また、このプラスチックボトルでは、ボトル本体の底面をこのような形状とすることで、ブロー成形後にパーティングラインに沿って分割される金型からのボトル本体の離型性を良好なものとし、生産性の更なる向上を図ることが可能である。
【図面の簡単な説明】
【００１５】
【図１】図１は、本発明を適用したプラスチックボトルの一例を示す斜視図である。
【図２】図２は、ボトル本体の底面形状の一例を示し、（ａ）は、ボトル本体を底面側から見た斜視図、（ｂ）は、ボトル本体の底面図、（ｃ）は、線分Ｘ１−Ｘ１’によるボトル本体の底部における断面図である。
【図３】図３は、ボトル本体の底面形状の他例を示し、（ａ）は、ボトル本体を底面側から見た斜視図、（ｂ）は、ボトル本体の底面図、（ｃ）は、線分Ｘ２−Ｘ２’によるボトル本体の底部における断面図である。
【図４】図４は、ボトル本体の底面形状の他例を示し、（ａ）は、ボトル本体を底面側から見た斜視図、（ｂ）は、ボトル本体の底面図、（ｃ）は、線分Ｘ３−Ｘ３’によるボトル本体の底部における断面図である。
【図５】図５は、ボトル本体の底面形状の他例を示し、（ａ）は、ボトル本体を底面側から見た斜視図、（ｂ）は、ボトル本体の底面図、（ｃ）は、線分Ｘ４−Ｘ４’によるボトル本体の底部における断面図である。
【発明を実施するための形態】
【００１６】
以下、本発明を適用したプラスチックボトルについて、図面を参照して詳細に説明する。
図１に示すように、本発明を適用したプラスチックボトル１は、ボトル本体２を備え、このボトル本体２は、底部３と、底部３の外周から筒状に起立した胴部４と、胴部４の上端において漸次縮径された肩部５と、肩部５の上端から筒状に起立した口頸部６を有し、この口頸部６にキャップ（図示せず。）が装着される構造となっている。また、このボトル本体２には、使用時に持ち易く且つ注出操作をし易くするための把手部７が設けられている。
【００１７】
このようなボトル本体２は、例えばポリエチレン樹脂やポリプロピレン樹脂、ポリエステル樹脂などの合成樹脂材料からなる。また、このボトル本体２の製造には、例えばダイレクトブロー成形や２軸延伸ブロー成形などのように、パリソンと呼ばれる筒状の成形材料を溶融状態とし、金型に入れ、内部に空気を吹き込んで膨らませると同時に冷却して成形する方法が用いられる。
【００１８】
なお、ボトル本体２に装着されるキャップは、その形態について特に限定されるものではなく、図示を省略するものの、上述したボトル本体２の口頸部６に螺合により着脱自在に装着されるカバーキャップの他にも、例えば、ボトル本体２から注出された内容液を計り取る計量キャップを備えたものなどであってもよい。
【００１９】
また、このプラスチックボトル１に収容される液体（内容液）としては、例えば、シャンプーやリンス、ボディーソープ、台所洗剤、液体衣料洗剤、柔軟剤などの液体製品を挙げることができる。
【００２０】
本発明を適用したプラスチックボトル１は、ボトル本体２の外観形状について特に限定されないものの、ボトル本体２の底部３において、例えば図２（ａ）〜（ｃ）に示すような底面形状を有することを特徴としている。
【００２１】
具体的に、このボトル本体２は、その底部３に、底面３ａの中央部を底上げした底上げ部８と、底上げ部８の周囲を囲むリング状の脚部９と、底上げ部８から当該ボトル本体２の内側に向かって隆起してなるライン状のリブ部１０とを有している。
【００２２】
また、リブ部１０は、ボトル本体２のパーティングラインＰＬに対して直交する方向に延長されて脚部９に至ると共に、その延長方向と直交する方向に複数（本実施形態では５つ）並んで設けられている。さらに、各リブ部１０は、パーティングラインＰＬから脚部９に向かって漸次幅が大きくなるように、その中心線Ｓに対して所定の角度θだけ傾斜した形状を有している。
【００２３】
なお、パーティングラインＰＬとは、ブロー成形時に金型の分割線に沿ってボトル本体２の表面に形成される線状痕のことである。このボトル本体２の表面には、略楕円形状を有する底面３ａを長軸方向に沿って二等分するパーティングラインＰＬが形成されている。
【００２４】
また、ボトル本体２の底部３では、脚部９の内側にある底上げ部８が、各リブ部１０の間で平坦面８ａを形成している。一方、各リブ部１０は、これら平坦面８ａの各間からボトル本体２の内側（上方）に向かって略円弧状に凸となる形状を有している。
【００２５】
以上のような構造を有するプラスチックボトル１では、ボトル本体２の底上げ部８からボトル本体２の内側に向かって隆起してなるリブ部１０が、ボトル本体２のパーティングラインＰＬに対して直交する方向に延長されて脚部９に至ると共に、その延長方向と直交する方向に複数並んで設けられている。これにより、ボトル本体２を肉厚に形成したり、剛性の高い高価な樹脂材料を用いたりすることなく、このボトル本体２の底部３の剛性を十分に確保しながら、ボトル本体２の底部３の変形を抑制することが可能である。
【００２６】
また、このプラスチックボトル１では、複数のリブ部１０がパーティングラインＰＬから脚部９に向かって漸次幅が大きくなる形状を有することで、ボトル本体２の底部３における剛性を更に高めることが可能である。さらに、このプラスチックボトル１では、底上げ部８がリブ部１０の間で平坦面８ａを形成することによっても、ボトル本体２の底部３における剛性を高めることが可能である。
【００２７】
また、このプラスチックボトル１では、ボトル本体２の底部３をこのような底面形状とすることで、ブロー成形後にパーティングラインＰＬに沿って分割される金型からのボトル本体２の離型性を良好なものとし、生産性の更なる向上を図ることが可能である。
【００２８】
すなわち、このプラスチックボトル１の底面３ａにおいて、複数のリブ部１０は、パーティングラインＰＬから脚部９に向かって漸次幅が大きくなる形状を有している。さらに、底上げ部８は、リブ部１０の間で平坦面８ａを形成している。このような底面形状を有する場合、ブロー成形後に一対の金型をパーティングラインＰＬに対して直交する方向に離型させることによって、ボトル本体２の底上げ部８から無理抜きによって金型を容易に離脱させることが可能である。したがって、本発明では、金型の構造を複雑なものとすることなく、ボトル本体２を容易に製造することが可能である。
【００２９】
なお、本発明では、上記ボトル本体２の底面形状に必ずしも限定されるものではなく、本発明の趣旨を逸脱しない範囲において種々の変更を加えることが可能である。なお、以下の説明では、上記ボトル本体２と同等の部位については、説明を省略すると共に、図面において同じ符号を付すものとする。
【００３０】
具体的に、ボトル本体２の底面３ａに形成されるリブ部１０の数については、適宜変更して実施することが可能である。例えば、図３（ａ）〜（ｃ）に示すボトル本体２Ａの底面形状は、このボトル本体２Ａの底面３ａに７つのリブ部１０が形成された構成を有し、図４（ａ）〜（ｃ）に示すボトル本体２Ｂの底面形状は、このボトル本体２Ｂの底面３ａに３つのリブ部１０が形成された構成を有している。何れの場合も、上記ボトル本体２と同様に、ボトル本体２Ａ，２Ｂを肉厚に形成したり、剛性の高い高価な樹脂材料を用いたりすることなく、このボトル本体２Ａ，２Ｂの底部３の剛性を十分に高めることが可能である。
【００３１】
また、本発明を適用したプラスチックボトル１では、例えば図５（ａ）〜（ｃ）に示すボトル本体２Ｃのように、底面３ａに少なくとも上記リブ部１０が形成された構成であればよく、場合によって上記平坦面８ａの代わりに、各リブ部１０の間にボトル本体２の外側（下方）に向かって略円弧状に凸となるリブ部１１が形成された構成とすることも可能である。すなわち、このボトル本体２Ｃの底面形状は、リブ部１０，１１が交互に並んで形成された構成を有している。この場合も、ボトル本体２Ｃを肉厚に形成したり、剛性の高い高価な樹脂材料を用いたりすることなく、このボトル本体２Ｃの底部３の剛性を十分に高めることが可能である。
【００３２】
一方、上記ボトル本体２，２Ａ，２Ｂの底面形状のように、各リブ部１０の間に上記平坦面８ａを設けた場合には、このボトル本体２，２Ａ，２Ｂの底部３の剛性を十分に確保するのに、上記ボトル本体２Ｃの場合よりも、上記リブ部１０の数を減らすことが可能である。したがって、この場合には、金型の構造を単純化して、ボトル本体２，２Ａ，２Ｂの製造をより容易なものとすることが可能である。
【符号の説明】
【００３３】
１…プラスチックボトル  ２，２Ａ，２Ｂ，２Ｃ…ボトル本体  ３…底部  ３ａ…底面  ４…胴部  ５…肩部  ６…口頸部  ７…把手部  ８…底上げ部  ８ａ…平坦面  ９…脚部  １０…リブ部  １１…リブ部
【図１】
2010247849.tif 000003
【図２】
2010247849.tif 000004
【図３】
2010247849.tif 000005
【図４】
2010247849.tif 000006
【図５】
2010247849.tif 000007